(57)【特許請求の範囲】
【請求項１】
増幅器内蔵アンテナを接続される受信装置であって、
前記アンテナに内蔵される増幅器の電源端子をチューナ回路部の中間周波集積回路の電源出力ポートにアンテナ接続ケーブルを介して接続し、前記電源出力ポートから出力される電源を、前記アンテナ接続ケーブルを介して前記アンテナに内蔵される増幅器に供給し、
前記中間周波集積回路は、外部から供給される制御データに基づいて、前記増幅器を内蔵するアンテナが前記チューナ回路部に接続された場合に前記電源出力ポートから電源を出力する第１モードと、前記増幅器を内蔵しないアンテナが前記チューナ回路部に接続された場合に前記電源出力ポートから電源を出力しない第２モードとの切り替えを行う
ことを特徴とする受信装置。
【請求項２】
請求項１記載の受信装置において、
前記電源出力ポートと前記アンテナ接続ケーブルとの間を接続する第１のコイルを
有することを特徴とする受信装置。
【請求項３】
請求項２記載の受信装置において、
前記アンテナ接続ケーブルと前記増幅器との間を接続する第２のコイルを
有することを特徴とする受信装置。
【請求項４】
請求項３記載の受信装置において、
前記中間周波集積回路は、前記中間周波集積回路に供給される電源電圧を変圧して前記電源出力ポートから出力する変圧回路を
有することを特徴とする受信装置。
【発明の詳細な説明】
【技術分野】
【０００１】
本発明は、受信装置に関し、増幅器内蔵アンテナを接続される受信装置に関する。
【背景技術】
【０００２】
従来から、車載用のテレビジョン信号を受信する受信装置では、アンテナ利得を上げるために、ＬＮＡ（Ｌｏｗ  Ｎｏｉｓｅ  Ａｍｐｌｉｆｉｅｒ）をアンテナに内蔵するものがある。
【０００３】
図４は、従来のＬＮＡ内蔵アンテナを用いた受信装置の一例の構成図を示す。同図中、アンテナ１はＬＮＡ２に接続され、ＬＮＡ２は同軸ケーブル３によりチューナ回路部５のコネクタ６に接続されている。ＬＮＡ２は外部電源７から電源配線８を通して動作電源を供給される。
【０００４】
図５は、従来のＬＮＡ内蔵アンテナを用いた受信装置の他の一例の構成図を示す。同図中、アンテナ１はＬＮＡ２に接続され、ＬＮＡ２は同軸ケーブル３によりチューナ回路部５のコネクタ６に接続されている。チューナ回路部５の電源端子１１は電源配線８を通して外部電源７に接続されており、電源端子１１はチューナ回路部５内でコイル１２を介してコネクタ６に接続されている。ＬＮＡ２は外部電源７から電源配線８，電源端子１１，コイル１２，コネクタ６，同軸ケーブル３を通して動作電源を供給される。
【０００５】
なお、特許文献１には、電源の出力電圧を、電源スイッチを通じてチューナ回路等に供給すると共に、電源スイッチからコイル，アンテナジャックを介してアクティブアンテナに電流を供給する受信機が記載されている。
【０００６】
また、特許文献２には、電源回路からスイッチを介して、アンテナ，チューナ，デコード回路，出力回路それぞれに電源を供給するデジタル放送受信機が記載されている。
【特許文献１】特開平７−２２６６９３号公報
【特許文献２】特開平１１−１１２３７２号公報
【発明の開示】
【発明が解決しようとする課題】
【０００７】
従来の図４に示す受信装置では、ＬＮＡ２専用の外部電源７を必要とし、また、外部電源７からＬＮＡ２に動作電流を供給するために電源配線８を設けなければならず、電源配線８の引き回しに手間がかかるという問題があった。
【０００８】
従来の図５に示す受信装置では、電源端子１１に電源を供給するＬＮＡ２専用の外部電源７を必要とし、また、上記外部電源７からチューナ回路部５の電源端子１１まで電源を供給するための電源配線８を設けなければならず、電源配線８の引き回しに手間がかかるという問題があった。
【０００９】
本発明は、上記の点に鑑みなされたもので、外部電源を用意する必要がなく、電源配線を引き回す必要がなくなり構成が簡単となる受信装置を提供することを目的とする。
【課題を解決するための手段】
【００１０】
本発明の一実施態様による受信装置は、増幅器内蔵アンテナを接続される受信装置であって、
前記アンテナに内蔵される増幅器の電源端子をチューナ回路部（２５）の中間周波集積回路（２８）の電源出力ポート（２９）にアンテナ接続ケーブル（２３）を介して接続し、前記電源出力ポート（２９）から出力される電源を、前記アンテナ接続ケーブル（２３）を介して前記アンテナ（２１）に内蔵される増幅器（２２）に供給し、
前記中間周波集積回路（２８）は、外部から供給される制御データに基づいて、前記増幅器を内蔵するアンテナが前記チューナ回路部（２５）に接続された場合に前記電源出力ポート（２９）から電源を出力する第１モードと、前記増幅器を内蔵しないアンテナが前記チューナ回路部（２５）に接続された場合に前記電源出力ポート（２９）から電源を出力しない第２モードとの切り替えを行う
ことにより、外部電源を用意する必要がなく、電源配線を引き回す必要がなくなり構成が簡単となる。
【００１１】
前記受信装置において、
前記電源出力ポート（２９）と前記アンテナ接続ケーブル（２３）との間を接続する第１のコイル（Ｌ２）を有する構成とすることができる。
【００１２】
前記受信装置において、
前記アンテナ接続ケーブル（２３）と前記増幅器（２２）との間を接続する第２のコイル（Ｌ１）を有する構成とすることができる。
【００１３】
前記受信装置において、
前記中間周波集積回路（２８）は、前記中間周波集積回路に供給される電源電圧を変圧して前記電源出力ポート（２９）から出力する変圧回路（４２）を有する構成とすることができる。
【００１４】
なお、上記括弧内の参照符号は、理解を容易にするために付したものであり、一例にすぎず、図示の態様に限定されるものではない。
【発明の効果】
【００１５】
本発明によれば、外部電源を用意する必要がなく、電源配線を引き回す必要がなくなり構成が簡単となる。
【発明を実施するための最良の形態】
【００１６】
<一実施形態>
図１は本発明の受信装置の一実施形態の構成図、図２は本発明の受信装置の一実施形態の回路図を示す。この受信装置は、例えば車載用のテレビジョン信号を受信するものである。
【００１７】
図１において、アンテナ２１はＬＮＡ２２に接続され、ＬＮＡ２２は同軸ケーブル２３によりチューナ回路部２５のコネクタ２６に接続されている。このコネクタ２６は配線２７によってＩＦ−ＩＣ（中間周波−集積回路）２８の電源出力ポート（２９）に接続されている。
【００１８】
図２において、アンテナ２１はＬＮＡ２２の入力端子に接続され、ＬＮＡ２２の出力端子は直流成分阻止用のコンデンサＣ１を介して同軸ケーブル２３に接続されている。また、ＬＮＡ２２の電源端子は交流成分阻止用のコイルＬ１を介して同軸ケーブル２３に接続されている。
【００１９】
同軸ケーブル２３は、チューナ回路部２５内で、交流成分阻止用のコイルＬ２を介してＩＦ−ＩＣ２８の電源出力ポート２９に接続され、また、直流成分阻止用のコンデンサＣ２を介して帯域フィルタ３１に接続されている。
【００２０】
アンテナ２１で受信した高周波信号はＬＮＡ２２で増幅され、コンデンサＣ１，Ｃ２を通し帯域フィルタ３１で帯域制限され、ＡＧＣアンプ３２に供給される。ＡＧＣアンプ３２はＩＦ−ＩＣ２８から制御信号を供給されて利得を制御されており、ＡＧＣアンプ３２で所定振幅となるよう制御されて増幅される。ＡＧＣアンプ３２の出力する高周波信号は帯域フィルタ３３で帯域制限されてＩＦ−ＩＣ２８内のミキサ３４に供給される。
【００２１】
ＩＦ−ＩＣ２８において、ミキサ３４にはＰＬＬ（Ｐｈａｓｅ−ｌｏｃｋｅｄ  ｌｏｏｐ）で構成された局部発振回路３５から局部発振周波信号が供給され、ミキサ３４は高周波信号と局部発振周波信号を乗算して中間周波信号とする。この中間周波信号はＩＦアンプ３６で増幅されて、アンプ３７から図示しない後段回路に供給される。
【００２２】
ＩＦ−ＩＣ２８は端子４０から電源電圧＋Ｂを供給されて動作電源としている。また、ＩＦ−ＩＣ２８はＩ２Ｃ（Ｉｎｔｅｒ−Ｉｎｔｅｇｒａｔｅｄ  Ｃｉｒｃｕｉｔ：ＩスクウェアＣ）通信により図示しない制御回路から制御データを供給されている。Ｉ２Ｃ通信では、制御データＳＤＡがクロックＳＣＬに同期して供給され、ＩＦ−ＩＣ２８内で制御データの判別が行われる。
【００２３】
ＩＦ−ＩＣ２８は、この制御データに基づいて局部発振回路３５の発振周波数を切り替えて受信チャネルを切り替える。また、ＩＦ−ＩＣ２８は制御データに基づいて電源出力ポート２９から電源電圧＋Ｂを出力する第１モードと、電源出力ポート２９から電源電圧＋Ｂを出力しない第２モードとの切り替えを行う。
【００２４】
すなわち、ＬＮＡを持つアンテナがチューナ回路部２５に接続された場合には電源出力ポート２９から電源電圧＋Ｂを出力する第１モードに設定し、ＬＮＡを持たないアンテナがチューナ回路部２５に接続された場合には電源出力ポート２９から電源電圧＋Ｂを出力しない第２モードに設定する。
【００２５】
第１モードが設定された場合には、ＩＦ−ＩＣ２８は電源電圧＋Ｂを電源出力ポート２９から出力し、この電源電圧＋ＢはコイルＬ２，同軸ケーブル２３，コイルＬ１を通ってＬＮＡ２２に供給される。
【００２６】
このように、チューナ回路部２５のＩＦ−ＩＣ２８からＬＮＡ２２に電源を供給するため、図４に示す従来装置のような外部電源や電源配線を設ける必要がなく、図５に示す従来装置のような外部電源や電源配線及び電源端子１１を設ける必要がなく、構成が簡単となる。
【００２７】
<変形例>
図３は本発明の受信装置の一実施形態の変形例の回路図を示す。この変形例は、ＬＮＡ２２の電源電圧がＩＦ−ＩＣ２８の電源電圧と異なる場合に適用するものである。
【００２８】
図３において、アンテナ２１はＬＮＡ２２の入力端子に接続され、ＬＮＡ２２の出力端子は直流成分阻止用のコンデンサＣ１を介して同軸ケーブル２３に接続されている。また、ＬＮＡ２２の電源端子は交流成分阻止用のコイルＬ１を介して同軸ケーブル２３に接続されている。
【００２９】
同軸ケーブル２３は、チューナ回路部２５内で、交流成分阻止用のコイルＬ２を介してＩＦ−ＩＣ２８の電源出力ポート２９に接続され、また、直流成分阻止用のコンデンサＣ２を介して帯域フィルタ３１に接続されている。
【００３０】
アンテナ２１で受信した高周波信号はＬＮＡ２２で増幅され、コンデンサＣ１，Ｃ２を通し帯域フィルタ３１で帯域制限され、ＡＧＣアンプ３２に供給される。ＡＧＣアンプ３２はＩＦ−ＩＣ２８から制御信号を供給されて利得を制御されており、ＡＧＣアンプ３２で所定振幅となるよう制御されて増幅される。ＡＧＣアンプ３２の出力する高周波信号は帯域フィルタ３３で帯域制限されてＩＦ−ＩＣ２８内のミキサ３４に供給される。
【００３１】
ＩＦ−ＩＣ２８において、ミキサ３４にはＰＬＬで構成された局部発振回路３５から局部発振周波信号が供給され、ミキサ３４は高周波信号と局部発振周波信号を乗算して中間周波信号とする。この中間周波信号はＩＦアンプ３６で増幅されて、アンプ３７から図示しない後段回路に供給される。
【００３２】
ＩＦ−ＩＣ２８は端子４０から電源電圧＋Ｂを供給されて動作電源としている。ＩＦ−ＩＣ２８内の変圧回路４２は電源電圧＋Ｂを電圧＋Ｃに変圧、つまり昇圧又は降圧して電源出力ポート２９から出力する。
【００３３】
また、ＩＦ−ＩＣ２８はＩ２Ｃ通信により図示しない制御回路から制御データを供給されている。Ｉ２Ｃ通信では制御データＳＤＡがクロックＳＣＬに同期して供給され、ＩＦ−ＩＣ２８内で制御データの判別が行われる。
【００３４】
ＩＦ−ＩＣ２８は制御データに基づいて局部発振回路３５の発振周波数を切り替えて受信チャネルを切り替える。また、ＩＦ−ＩＣ２８は制御データに基づいて電源出力ポート２９から電源電圧＋Ｂを出力する第１モードと、電源出力ポート２９から電源電圧＋Ｂを出力しない第２モードとの切り替えを行う。
【００３５】
すなわち、ＬＮＡを持つアンテナがチューナ回路部２５に接続された場合には電源出力ポート２９から電源電圧＋Ｃを出力する第１モードに設定し、ＬＮＡを持たないアンテナがチューナ回路部２５に接続された場合には電源出力ポート２９から電源電圧＋Ｃを出力しない第２モードに設定する。
【００３６】
第１モードが設定された場合には、ＩＦ−ＩＣ２８は電源電圧＋Ｃを電源出力ポート２９から出力し、この電源電圧＋ＣはコイルＬ２，同軸ケーブル２３，コイルＬ１を通ってＬＮＡ２２に供給される。
【００３７】
この変形例では、構成が簡単となると共に、ＬＮＡ２２に供給する電源電圧＋ＣがＩＦ−ＩＣ２８に供給される電源電圧＋Ｂと異なっていても対応することができる。
【図面の簡単な説明】
【００３８】
【図１】本発明の受信装置の一実施形態の構成図である。
【図２】本発明の受信装置の一実施形態の回路図である。
【図３】本発明の受信装置の一実施形態の変形例の回路図である。
【図４】従来のＬＮＡ内蔵アンテナを用いた受信装置の一例の構成図である。
【図５】従来のＬＮＡ内蔵アンテナを用いた受信装置の他の一例の構成図である。
【符号の説明】
【００３９】
２１  アンテナ
２２  ＬＮＡ
２３  同軸ケーブル
２５  チューナ回路部
２６  コネクタ
２７  配線
２８  ＩＦ−ＩＣ
２９  電源出力ポート
３１，３３  帯域フィルタ
３２  ＡＧＣアンプ
３４  ミキサ
３５  局部発振回路
３６  ＩＦアンプ
３７  アンプ
４０  端子
４２  変圧回路
Ｃ１，Ｃ２  コンデンサ
Ｌ１，Ｌ２  コイル
【図１】
0004743177.tif 000002
【図２】
0004743177.tif 000003
【図３】
0004743177.tif 000004
【図４】
0004743177.tif 000005
【図５】
0004743177.tif 000006